【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
コンテンツを表示する表示部と、
外部装置と通信する通信部と、
音声信号を出力する音声出力部と、
前記外部装置から制御信号を受信すると音声認識を起動し、前記音声出力部を通じて出力される音声信号の出力音量を下げる制御部と、
を備え、
前記制御部は、前記音声認識が起動された後、第１所定時間の間音声命令としての音声入力が前記外部装置から受信されなかった場合、前記音声命令のための前記音声入力を要請するメッセージを出力し、前記音声認識が起動された後、第２所定時間の間前記音声命令としての前記音声入力が前記外部装置から受信されなかった場合、前記音声認識を解除し、前記出力音量を前記音声認識の起動以前の出力音量に復元する
音声認識可能な画像表示装置。
【請求項２】
前記外部装置は、リモートコントローラを含み、
前記画像表示装置は、前記リモートコントローラから、前記制御信号および／または前記音声命令としての前記音声入力を受信する
請求項１に記載の画像表示装置。
【請求項３】
前記制御部により出力されるメッセージは、前記表示部に表示されるメッセージ画像を含む
請求項１に記載の画像表示装置。
【請求項４】
前記制御部により出力されるメッセージは、前記音声出力部から出力される音声メッセージを含む
請求項１に記載の画像表示装置。
【請求項５】
前記制御部は、前記外部装置から前記制御信号を受信すると、表示されているコンテンツに少なくとも１つのアイコンを表示するように前記表示部を制御し、
前記少なくとも１つのアイコンは、それぞれ１つ以上の音声命令に対応可能である
請求項１に記載の画像表示装置。
【請求項６】
前記制御部は、前記外部装置から前記音声命令としての前記音声入力を受信すると、受信した前記音声命令に基づいて、前記少なくとも１つのアイコンのうち、受信した前記音声命令に対応する前記アイコンを変更するように前記表示部を制御する
請求項５に記載の画像表示装置。
【請求項７】
前記制御部は、前記音声認識が起動された後、前記外部装置から前記制御信号を再び受信するか前記外部装置から他の制御信号を受信すると、前記音声認識を解除する
請求項１に記載の画像表示装置。
【請求項８】
前記制御部は、前記外部装置から所定音量以上の音声を受信すると、前記制御信号が受信されたと判断する
請求項１に記載の画像表示装置。
【請求項９】
前記制御部は、前記外部装置から候補音声命令言語を受信すると、該候補音声命令言語が音声認識される音声命令言語として適しているかを検査し、前記検査の結果、前記候補音声命令言語が前記音声命令言語として適している場合、前記音声命令として前記候補音声命令言語を登録する
請求項１に記載の画像表示装置。
【請求項１０】
前記第２所定時間は、前記第１所定時間より長い
請求項１に記載の画像表示装置。
【請求項１１】
コンテンツを表示する表示部と、
音声入力を受信する音声入力部と、
音声信号を出力する音声出力部と、
前記音声入力部を通じて前記音声入力を受信すると音声認識を起動し、前記音声出力部を通じて出力される音声信号の出力音量を下げる制御部と、
を備え、
前記制御部は、前記音声認識が起動された後、第１所定時間の間音声命令としての前記音声入力が前記音声入力部を通じて受信されなかった場合、前記音声認識のための前記音声入力を要請するメッセージを出力し、前記音声認識が起動された後、第２所定時間の間前記音声命令としての前記音声入力が前記音声入力部を通じて受信されなかった場合、前記音声認識を解除し、前記出力音量を前記音声認識の起動以前の出力音量に復元する
音声認識可能な画像表示装置。
【請求項１２】
外部装置と通信して制御信号を受信する通信部をさらに備え、
前記画像表示装置は、前記外部装置から前記制御信号を受信する
請求項１１に記載の画像表示装置。
【請求項１３】
前記制御部により出力されるメッセージは、前記表示部に表示されるメッセージ画像を含む
請求項１１に記載の画像表示装置。
【請求項１４】
前記制御部により出力されるメッセージは、前記音声出力部から出力される音声メッセージを含む
請求項１１に記載の画像表示装置。
【請求項１５】
前記制御部は、前記音声入力部を通じて音声入力を受信すると、表示されているコンテンツに少なくとも１つのアイコンを表示するように前記表示部を制御し、
前記少なくとも１つのアイコンは、それぞれ１つ以上の音声命令に対応可能である
請求項１１に記載の画像表示装置。
【請求項１６】
前記制御部は、前記音声入力部を通じて前記音声命令としての前記音声入力を受信すると、受信した前記音声命令に基づいて、前記少なくとも１つのアイコンのうち、受信した前記音声命令に対応する前記アイコンを変更するように前記表示部を制御する
請求項１５に記載の画像表示装置。
【請求項１７】
前記制御部は、前記音声認識が起動された後、前記外部装置から前記制御信号を再び受信するか前記外部装置から他の制御信号を受信すると、前記音声認識を解除する
請求項１２に記載の画像表示装置。
【請求項１８】
前記制御部は、前記音声入力部を通じて所定音量以上の音声を受信すると、前記音声入力が受信されたと判断する
請求項１１に記載の画像表示装置。
【請求項１９】
前記制御部は、前記音声入力部を通じて候補音声命令言語を受信すると、該候補音声命令言語が音声認識される音声命令言語として適しているかを検査し、前記検査の結果、前記候補音声命令言語が前記音声命令言語として適している場合、前記音声命令として前記候補音声命令言語を登録する
請求項１１に記載の画像表示装置。
【請求項２０】
外部装置から制御信号を受信すると音声認識を起動し、音声出力部を通じて出力される音声信号の出力音量を下げ、
前記音声認識が起動された後、第１所定時間の間音声命令としての音声入力が前記外部装置から受信されなかった場合、前記音声認識のための前記音声入力を要請するメッセージを出力し、
前記音声認識が起動された後、第２所定時間の間前記音声命令としての前記音声入力が前記外部装置から受信されなかった場合、前記音声認識を解除し、前記出力音量を前記音声認識の起動以前の出力音量に復元する
音声認識可能な画像表示装置の制御方法。
【請求項２１】
制御部により出力されるメッセージは、表示部に表示されるメッセージ画像を含む
請求項２０に記載の方法。
【請求項２２】
制御部により出力されるメッセージは、前記音声出力部から出力される音声メッセージを含む
請求項２０に記載の方法。
【請求項２３】
さらに、前記外部装置から前記制御信号を受信すると、表示部に表示されているコンテンツに少なくとも１つのアイコンを表示し、
前記少なくとも１つのアイコンは、それぞれ１つ以上の音声命令に対応可能である
請求項２０に記載の方法。
【請求項２４】
さらに、前記外部装置から前記音声命令としての前記音声入力を受信すると、受信した前記音声命令に基づいて、前記少なくとも１つのアイコンのうち、受信した前記音声命令に対応する前記アイコンを変更する
請求項２３に記載の方法。
【請求項２５】
さらに、前記音声認識が起動された後、前記外部装置から前記制御信号を再び受信するか前記外部装置から他の制御信号を受信すると、前記音声認識を解除する
請求項２０に記載の方法。
【請求項２６】
さらに、前記外部装置から候補音声命令言語を受信すると、該候補音声命令言語が音声認識される音声命令言語として適しているかを検査し、前記検査の結果、前記候補音声命令言語が前記音声命令言語として適している場合、前記音声命令として前記候補音声命令言語を登録する
請求項２０に記載の方法。
【請求項２７】
音声入力部を通じて音声入力を受信すると音声認識を起動し、音声出力部を通じて出力された音声信号の出力音量を下げ、
前記音声認識が起動された後、第１所定時間の間音声命令としての前記音声入力が前記音声入力部を通じて受信されなかった場合、前記音声認識のための前記音声入力を要請するメッセージを出力し、前記音声認識が起動された後、第２所定時間の間前記音声命令としての前記音声入力が外部装置から受信されなかった場合、前記音声認識を解除し、前記出力音量を前記音声認識の起動以前の出力音量に復元する
音声認識可能な画像表示装置の制御方法。
【請求項２８】
さらに、前記音声入力部を通じて前記音声入力を受信すると、表示部に表示されているコンテンツに少なくとも１つのアイコンを表示し、
前記少なくとも１つのアイコンは、それぞれ１つ以上の音声命令に対応可能である
請求項２７に記載の方法。
【請求項２９】
さらに、前記音声入力部を通じて前記音声命令としての前記音声入力を受信すると、受信した前記音声命令に基づいて、少なくとも１つのアイコンのうち、受信した前記音声命令に対応する前記アイコンを変更する
請求項２７記載の方法。
【請求項３０】
さらに、前記音声認識が起動された後、前記音声出力部を通じて他の制御信号を受信すると、前記音声認識を解除する
請求項２７に記載の方法。
【請求項３１】
さらに、前記音声入力部を通じて候補音声命令言語を受信すると、該候補音声命令言語が音声認識される音声命令言語として適しているかを検査し、前記検査の結果、前記候補音声命令言語が前記音声命令言語として適している場合、前記音声命令として前記候補音声命令言語を登録する
請求項２７に記載の方法。
【請求項３２】
請求項２０に記載の方法を行うためのコンピュータで実行可能なプログラムを記録した持続性コンピュータ可読記録媒体。
【請求項３３】
請求項２７に記載の方法を行うためのコンピュータで実行可能なプログラムを記録した持続性コンピュータ可読記録媒体。